(57)【要約】    【課題】  本考案は、指挿入用帯やタグを有する化粧用パフ等の化粧用具において、指挿入用帯が、汚れにくく、汚れても簡単に汚れを落とせ、しかも、洗濯しても痛まず、しかも、今までにないデザイン性を持たせることができ、さらに透明や半透明にすることも可能な指挿入用帯やタグを有する化粧用具を提供することにある。    【解決手段】  本考案に係る化粧用パフＡは、袋体１１にスポンジ等のクッション体１２が封入されているパフ本体１０と、パフ本体１０に縫着により接着され、パフ本体１０に架け渡された形態をなす指挿入用帯２０とから構成され、指挿入用帯２０は、ポリウレタンを成型して構成したシートが使用されてなるものである。    【選択図】        図２
0003106904.tif 000002
【実用新案登録請求の範囲】
【請求項１】
パフ本体に指挿入用帯が縫着により架け渡された形態をなす化粧用具において、前記指挿入用帯を高分子成型弾性シートにより構成したことを特徴とする化粧用具。
【請求項２】
パフ本体にタグが縫着された形態をなす化粧用具において、前記タグを高分子成型弾性シートにより構成したことを特徴とする化粧用具。
【請求項３】
高分子成型弾性シートが、樹脂成型シートであることを特徴とする請求項１又は２に記載の化粧用具。
【請求項４】
高分子成型弾性シートが、ゴム成型シートであることを特徴とする請求項１又は２に記載の化粧用具。
【請求項５】
高分子成型弾性シートが、ポリウレタン成型シートであることを特徴とする請求項１又は２に記載の化粧用具。
【請求項６】
高分子成型弾性シートが、軟質ポリ塩化ビニル成型シートであることを特徴とする請求項１又は２に記載の化粧用具。
【請求項７】
高分子成型弾性シートが、シリコン成型シートであることを特徴とする請求項１又は２に記載の化粧用具。
【請求項８】
パフ本体が、袋体にクッション体を封入してなることを特徴とする請求項１〜７のいずれか１項に記載の化粧用具。
【請求項９】
パフ本体が、スポンジ体からなることを特徴とする請求項１〜７のいずれか１項に記載の化粧用具。
【考案の詳細な説明】
【技術分野】
【０００１】
本考案は、化粧用パフ、ボディスポンジあるいは洗顔パフなどの化粧用具に関し、特に使用時に指を挿入するための指挿入用帯、及び、商標や品質等を表示したり、引っ掛け具に使用したりするタグを有する化粧用具に関する。
【背景技術】
【０００２】
従来の指挿入用帯やタグを有する化粧用パフ等の化粧用具においては、その指挿入用帯やタグは編織物で構成されているのが一般的である。
【考案の開示】
【考案が解決しようとする課題】
【０００３】
しかしながら、指挿入用帯やタグが編織物であると、汚れやすく、汚れると簡単には汚れを落とせず、しかも、洗濯すると痛むという欠点があった。また、このように編織物で構成する場合には、デザイン性が制限され、しかも透明や半透明にできない欠点があった。
【０００４】
そこで、本考案者は、鋭意研究を重ねた結果、指挿入用帯やタグを有する化粧用パフ等の化粧用具において、指挿入用帯やタグが、汚れにくく、汚れても簡単に汚れを落とせ、かつ、洗濯しても痛まず、しかも、今までにないデザイン性を持たせることができ、さらに透明や半透明にすることも可能な指挿入用帯やタグを有する化粧用具を開発した。
【課題を解決するための手段】
【０００５】
本考案に係る化粧用具は、パフ本体に指挿入用帯が縫着により架け渡された形態をなす化粧用具において、前記指挿入用帯を高分子成型弾性シートにより構成したことを特徴とするものである。
【０００６】
また、本考案に係る化粧用具は、パフ本体にタグが縫着された形態をなす化粧用具において、前記タグを高分子成型弾性シートにより構成したことを特徴とするものである。
【０００７】
上記の高分子成型弾性シートとしては、樹脂成型シート及びゴム成型シートのいずれもが採用でき、とりわけ、ポリウレタン成型シート、軟質ポリ塩化ビニル成型シート、シリコン成型シートが望ましい。
【０００８】
また、上記のパフ本体として、袋体にクッション体を封入してなるもの、または、スポンジ体からなるものが採用できる。
【考案の効果】
【０００９】
本考案に係る化粧用パフ等の化粧用具は、上記した構成よりなるものであるから、指挿入用帯やタグが、従来の編織物で構成したものと比較して、汚れにくく、汚れても簡単に汚れを落とせ、かつ、洗濯しても痛まない利点がある。しかも、今までにないデザイン性を持たせることができ、さらに透明や半透明にすることも可能となった。
【考案を実施するための最良の形態】
【００１０】
以下に、本考案の好適な実施例を添付の図面に基づいて詳細に説明する。なお、本実施例は、化粧用パフについて説明するものであるが、ボディスポンジや洗顔パフなどの化粧用具についても適用できる。
【００１１】
図１は本実施例に係る化粧用パフの斜視図であり、図２は本実施例に係る化粧用パフの断面図である。
【００１２】
図１及び図２において、Ａは本実施例に係る化粧用パフであり、パフ本体１０と、指挿入用帯２０とから構成され、指挿入用帯２０は、パフ本体１０に縫着により接着され、パフ本体１０に架け渡された形態をなしている。前記パフ本体１０は、袋体１１にスポンジ等のクッション体１２が封入されている。
【００１３】
この袋体１１を製造するには、所定形状に成型された指挿入用帯２０と、２枚の布帛１１ａ、１１ｂを用意し、２枚の布帛１１ａ、１１ｂのそれぞれの表面が相対向するように重ね合わせ、この２枚の布帛１１ａ、１１ｂの間に、指挿入用帯２０を両端が２枚の布帛１１ａ、１１ｂからはみ出すように挟み込んで、その周囲を縫製すると同時に指挿入用帯２０を縫着する。図において２１は縫い目である。なお、周囲の縫製時に２枚の布帛１１ａ、１１ｂの内外を反転できるように一部開口しておき、縫製後、２枚の布帛１１ａ、１１ｂを反転させる。なお、２枚の布帛１１ａ、１１ｂは、編織布、不織布等の布帛であってもよいが、スポンジシートであってもよい。
【００１４】
なお、パフ本体としては、本実施例のように袋体１１にクッション体１２を封入してなるものに限られるものではなく、スポンジ体からパフ本体を使用してもよい。
【００１５】
上記指挿入用帯２０には、ポリウレタンを成型して構成したシートが使用されている。このポリウレタン成型シートは、防汚性、汚れ落ち性に優れ、耐洗濯性に優れている。したがって、本実施例に係る化粧用パフＡは、指挿入用帯２０が、汚れにくく、汚れても簡単に汚れを落とせ、しかも、洗濯しても痛まない。また、従来は織物製であったため、このような成型シートを使用すると今までにないデザイン性を持たせることができ、さらに透明や半透明にすることも可能となる。
【００１６】
なお、指挿入用帯の材質としては、本実施例に示すポリウレタン成型シートに限られるものではなく、軟質ポリ塩化ビニル成型シートやシリコン成型シートを使用してもよく、また、その他の樹脂成型シート、ゴム成型シート等の高分子成型弾性シートを使用してもよい。
【００１７】
また、本実施例の化粧用パフには設けていないが、化粧用パフにおける前記縫い目２１にタグが挟み込まれるように構成した化粧用パフがあり、このタグにポリウレタンを成型して構成したシートを使用してもよい。その場合においては、タグが汚れにくく、汚れても簡単に汚れを落とせ、しかも、洗濯しても痛まない。また、従来は織物製であったため、このような成型シートを使用すると今までにないデザイン性を持たせることができ、さらに透明や半透明にすることも可能となる。このタグの材質としては、ポリウレタン成型シートに限られるものではなく、軟質ポリ塩化ビニル成型シートやシリコン成型シートを使用してもよく、また、その他の樹脂成型シート、ゴム成型シート等の高分子成型弾性シートを使用してもよい。
【図面の簡単な説明】
【００１８】
【図１】本考案に係る化粧用パフの斜視図である。
【図２】本考案に係る化粧用パフの断面図である。
【符号の説明】
【００１９】
Ａ・・・・化粧用パフ
１０・・・パフ本体
１１・・・袋体
１１ａ、１１ｂ・・袋体を構成する布帛
１２・・・クッション体
２０・・・指挿入用帯
２１・・・縫い目
【図１】
0003106904.tif 000003
【図２】
0003106904.tif 000004